(57)【要約】【課題】屋外でお湯を飲もうとすると、お湯は熱くて水筒から直接飲めないので、コップ付き携帯水筒が利用される。ところが、水筒の上部に設置されているコップの飲み口は露出しており、手の汚れがコップの飲み口をも汚してしまい不衛生であった。コップに一度も手を直接触れることなく衛生的に飲めるコップ付き携帯水筒を提供する。【解決手段】水筒本体の本体開口縁寄りに雄ネジを周回させ、これと対応してはまり合う雌ネジを内周壁にもつ蓋を設け、蓋に出し入れ可能なコップを設け、コップ底外面と蓋冠部内面との間に円錐バネを装着し、円錐バネはコップ底外面側に止め外し可能なバネ止めで固定され、コップ外壁のコップ底縁寄りに、コップ底外面の中心点を挟む対向的な位置にストッパーを設け、蓋の内壁に、ストッパーの通るルートとストッパー受けを設けたことを特徴とするコップ付き携帯水筒。【選択図】図３
2015009896.tif 000002
【特許請求の範囲】
【請求項１】
水筒本体の本体開口縁寄りに雄ネジを周回させ、これと対応してはまり合う雌ネジを内周壁にもつ蓋を設け、蓋に出し入れ可能なコップを設け、コップ底外面と蓋冠部内面との間に円錐バネを装着し、円錐バネはコップ底外面側に止め外し可能なバネ止めで固定され、コップ外壁のコップ底縁寄りに、コップ底外面の中心点を挟む対向的な位置にストッパーを設け、蓋の内壁に、ストッパーの通るルートとストッパー受けを設け、蓋の雌ネジ、及び、ストッパー受けは内壁に全周回の形ではなく部分周回の形で設けたことを特徴とするコップ付き携帯水筒。
【発明の詳細な説明】
【技術分野】
【０００１】    本発明は、お湯を飲む為のコップ付き携帯水筒に関するものである。
【背景技術】
【０００２】    従来、屋外でお湯を飲むためには、コップ付き携帯水筒が利用されていた。コップ付き携帯水筒を裸のまま鞄等に入れることも多いが、汚れ防止を兼ねた水筒専用袋を利用する事もあった。
【発明の概要】
【発明が解決しようとする課題】
【０００４】    （イ）屋外でお湯を飲もうとすると、お湯は熱くて水筒から直接飲めないので、コップ付き携帯水筒が利用される。ところが、コップ付き携帯水筒の上部に設置されているコップの飲み口は露出しており、汚れた手に触れるので不衛生であった。
（ロ）コップの上に汚れ防止キャップを付けたコップ付き携帯水筒があるが、左手に水筒を持ち、右手で汚れ防止キャップを外すと、両手がふさがり、コップにお湯を注ぐ事ができない。屋外では必ずしも、汚れ防止キャップの置き場所を確保できず、戸惑うことが多かった。また、水筒専用袋を利用する事もあるが、同じ様に邪魔になり、戸惑うことが多かった。
（ハ）汚れ防止キャップが付いていても、水筒専用袋に入れて持ち運んでも、水筒のお湯を注ぐのに、最終的にはコップに直接手が触れるため、手の汚れでコップ開口縁を汚すことが多かった。
（ニ）口当たりが良い陶磁器は割れやすいので、コップ付き携帯水筒用のコップ材としては使用できなかった。
本発明は以上の問題点を解決するものである。
【問題を解決するための手段】
【０００５】      水筒本体の本体開口縁寄りに雄ネジを周回させ、これと対応してはまり合う雌ネジを内周壁にもつ蓋を設け、蓋に出し入れ可能なコップを設け、コップ底外面と蓋冠部内面との間に円錐バネを装着し、円錐バネはコップ底外面側に止め外し可能なバネ止めで固定され、コップ外壁のコップ底縁寄りに、コップ底外面の中心点を挟む対向的な位置にストッパーを設け、蓋の内壁に、ストッパーの通るルートとストッパー受けを設ける。蓋の雌ネジ、及び、ストッパー受けは内壁に全周回の形ではなく部分周回の形で設ける。
以上の構成よりなるコップ付き携帯水筒である。
【発明の効果】
【０００６】    （イ）コップは、蓋により保護されているので汚れ難く、水筒専用袋も必要無い。
（ロ）コップは蓋に収納された形になっており、蓋を置く場所を確保する必要も無く、戸惑うことがない。
（ハ）コップには一切手が触れないので、コップを汚すことはない。
（ニ）蓋で保護されているので、衝撃に弱い陶磁器もコップ材として使用できる。
（ホ）蓋とコップは分離して清掃することが出来るので、衛生的である。
【図面の簡単な説明】
【０００７】
【図１】本発明の外観斜視図
【図２】本発明の一部であるコップを水筒本体から外した状態を示す斜視図
【図３】本発明の一部である蓋から、コップ、円錐バネを分解した状態を示す斜視図
【図４】本発明の一部である蓋の内側の構造を見せた斜視図
【図５】本発明の一部である蓋の断面線を示す斜視図
【図６】図５に対応する断面展開図
【図７】図５におけるＡ−Ａの断面図
【図８】図５におけるＢ−Ｂの断面図
【図９】図５におけるＣ−Ｃの断面図
【図１０】図５におけるＤ−Ｄの断面図
【図１１】図５におけるＥ−Ｅの断面図
【図１２】本発明の一部であるコップの構造を示した平面図（Ｈ）及び正面図（Ｖ）
【図１３】本発明の一部である蓋とコップの相関関係及びそれぞれの構造的特徴を示す断面図
【図１４】本発明の一部であるコップが蓋に出し入れ可能な形で装着される際、ストッパーが重要な役割を果たす構造的根拠を示す断面展開図
【図１５】本発明の一部である蓋とコップとリリースボタンの相関関係及びそれぞれの構造的特徴を示す断面図のうち、リリースボタンを押して、コップを出した状態を示す断面図（Ｆ）及び、コップを収納し、リリースボタンがスタンバイした状態を示す断面図（Ｇ）
【発明を実施するための形態】
【０００８】    以下、本発明の実施の形態を説明する。
（イ）水筒本体（３）の本体開口縁（１５）寄りに雄ネジ（６）を周回させ、これと対応してはまり合う雌ネジ（７）を内周壁にもつ蓋（１）を設け、蓋（１）に出し入れ可能なコップ（２）を設け、コップ底外面（１３）と蓋冠部内面（１４）との間に円錐バネ（５）を装着する（図３、図１３）。
（ロ）円錐バネ（５）はコップ底外面（１３）側に止め外し可能なバネ止め（１２）で固定され、コップ（２）外壁のコップ（２）底縁寄りに、コップ底外面（１３）の中心点を挟む対向的な位置にストッパー（８）を設ける（図３、図１２）。
（ハ）蓋（１）の内壁に、ストッパー（８）の通るルート（９）とストッパー受け（１０）を設ける。これらの斜視図は図４であり、図６はその断面展開図である。蓋（１）の構造的諸特徴を図５の断面図で示せば、断面線Ａ−Ａ（２０）の位置で図７，断面線Ｂ−Ｂ（２１）の位置で図８，断面線Ｃ−Ｃ（２２）の位置で図９，断面線Ｄ−Ｄ（２３）の位置で図１０，断面線Ｅ−Ｅ（２４）の位置で図１１となる。
（ニ）蓋（１）の雌ネジ（７）、及び、ストッパー受け（１０）は内壁に全周回の形ではなく部分周回の形で設ける（図４、図６）。
本発明は以上のような構造である。
本発明を使用するときは、
（イ）蓋（１）を持ち、左に回す。蓋（１）が水筒本体（３）から外れ、円錐バネ（５）により、コップ（２）が蓋（１）より飛び出し、ストッパー（８）がストッパー受け（１０）に当ってとまる（図２）。これにお湯を注げば、コップ（２）に手を触れずに飲める。
（ロ）飲み終わったら、コップ（２）が飛び出したままの状態で、蓋（１）を持ち、弁機構部（４）にかぶせ、下に押したまま右に回せば、蓋（１）に加えた回転力が、ルート（９）の壁を介してストッパー（８）に伝わり、コップ（２）も同時に回るので、円錐バネ（５）がねじれる事も無く、コップ開口縁（１１）は、本体開口縁（１５）に支えられて、蓋（１）がコップ（２）より深く沈みこみ、雌ネジ（７）と雄ネジ（６）がはまり合う。このため、コップ（２）に直接手を触れず蓋（１）を閉めてしまうことができる。
（ハ）この様に使用するので、コップ（２）に手を触れる事がなく、汚すことがない。
（ニ）本発明のコップ付き携帯水筒を裸のまま移動しても、コップ（２）は露出してないので汚れる心配はない。
（ホ）従来、口当たりの良い陶磁器などは壊れやすいので、コップ付き携帯水筒のコップには使用できなかった。本発明では、蓋（１）により保護されているので、陶磁器や琺瑯もコップ（２）材として使用する事が出来る。
（ヘ）蓋（１）にコップ（２）が収納される形になっているので、蓋（１）を置く場所を確保する必要が無い。
（ト）蓋（１）とコップ（２）とを分離するには、ストッパー（８）が範囲ｂ（１７）に納まるまでコップ（２）を押して、右に回し、蓋（１）のルート（９）から外れ出る様に案内する。このようにして、蓋（１）、コップ（２）、円錐バネ（５）に分離分解可能なため、掃除しやすい。分解する為に、ストッパー（８）が範囲ｂ（１７）に納まるまでコップ（２）を押した場合、円錐バネ（５）は範囲ｃ（１８）に納まる。また分解する以外の通常使用時には、ストッパー（８）は範囲ａ（１６）に存在する（図１４）。
（チ）蓋（１）とコップ（２）とを組み立てるには、コップ（２）のストッパー（８）が、蓋（１）のルート（９）より入り、移動方向線（１９）に沿ってストッパー受け（１０）に達する様に案内する（図１４）。
（リ）円錐バネ（５）の代わりに、コイルバネ、キックバネ、ゴム、スポンジなど、弾性体であればどの様な物を装着してもよい。
（ヌ）ストッパー受け（１０）のみを円周の一部に設け、雌ネジ（７）は蓋（１）の内壁に全周回の形で設けてもよい。
（ル）蓋（１）のストッパー受け（１０）を雌ネジ（７）で代用してもよい。
（オ）ストッパー受け（１０）を省略し、ルート（９）を単純にする為に、蓋冠部内面（１４）と、コップ底外面（１３）の両方にバネ止め（１２）を設けてもよい。
（ワ）水筒本体（３）から蓋（１）を外すと同時にコップ（２）が飛び出すのではなく、ボタンを押すことで、初めてコップ（２）が蓋（１）より飛び出す様にする為のリリースボタン（２５）を設けてもよい（図１５）。
【符号の説明】
【０００９】      １  蓋、    ２  コップ、    ３  水筒本体、    ４  弁機構部、    ５  円錐バネ、    ６  雄ネジ、    ７  雌ネジ、    ８  ストッパー、    ９  ルート、    １０  ストッパー受け、    １１  コップ開口縁、    １２  バネ止め、    １３  コップ底外面、    １４  蓋冠部内面、    １５  本体開口縁、    １６  範囲ａ、    １７  範囲ｂ、    １８  範囲ｃ、    １９  移動方向線、    ２０  断面線Ａ−Ａ、    ２１  断面線Ｂ−Ｂ、    ２２  断面線Ｃ−Ｃ、    ２３  断面線Ｄ−Ｄ、    ２４  断面線Ｅ−Ｅ、    ２５  リリースボタン
【図１】
2015009896.tif 000003
【図２】
2015009896.tif 000004
【図３】
2015009896.tif 000005
【図４】
2015009896.tif 000006
【図５】
2015009896.tif 000007
【図６】
2015009896.tif 000008
【図７】
2015009896.tif 000009
【図８】
2015009896.tif 000010
【図９】
2015009896.tif 000011
【図１０】
2015009896.tif 000012
【図１１】
2015009896.tif 000013
【図１２】
2015009896.tif 000014
【図１３】
2015009896.tif 000015
【図１４】
2015009896.tif 000016
【図１５】
2015009896.tif 000017